(57)【要約】【課題】既設の流体制御器にでも簡単に装着することのできる流体制御器のロック装置の提供を目的とする。【解決手段】流体制御器１の本体部２内に形成された流体流路３を開閉する流路開閉弁の操作部４を拘束する流体制御器のロック装置であって、  前記本体部２に形成される貫通孔５に挿通される挿通体６を介して本体部２に周方向への移動が規制て連結される取付基体７と、  取付基体７に回転自在に連結され、ロック回転位置において前記操作部４の移動を規制するロック体８とを有し、  前記ロック体８は、適宜の錠装置９によりロック回転位置に拘束可能に構成する。【選択図】  図３
2006226495.tif 000002
【特許請求の範囲】
【請求項１】
流体制御器の本体部内に形成された流体流路を開閉する流路開閉弁の操作部を拘束する流体制御器のロック装置であって、
前記本体部に形成される貫通孔に挿通される挿通体を介して本体部に周方向への移動が規制されて連結される取付基体と、
取付基体に回転自在に連結され、ロック回転位置において前記操作部の移動を規制するロック体とを有し、
前記ロック体は、適宜の錠装置によりロック回転位置に拘束可能な流体制御器のロック装置。
【請求項２】
前記ロック体は、ロック回転位置において挿通体の抜け止め側端部を覆う請求項１記載の流体制御器のロック装置。
【請求項３】
前記挿通体はピン状に形成され、取付基体に形成される取付片に連結されて抜け止めされる請求項２記載の流体制御器のロック装置。
【請求項４】
前記挿通体が前記本体部に穿孔された封印用線材疎通孔を貫通孔として利用可能な請求項１、２または３記載の流体制御器のロック装置。
【発明の詳細な説明】
【技術分野】
【０００１】
本発明は、流体制御器のロック装置に関するものである。
【背景技術】
【０００２】
流体制御器の操作部を施錠するためのロック装置としては、特許文献１に記載されたものが知られている。この従来例において、ロック装置は、円形貫通孔を流体制御器の円筒部に嵌め込んで装着されるストッパ支持体にストッパを連結して形成される。ストッパ連結解除は、南京錠等により規制されており、この状態でストッパは流体制御器の操作部に干渉し、操作部に対する弁開放操作を禁止する。
【特許文献１】特開２００４-１３２４５６号公報
【発明の開示】
【発明が解決しようとする課題】
【０００３】
しかし、上述した従来例は、ストッパ支持体を予め流体制御器に装着しておく必要があるために、例えば、既設の流体制御器に使用することができないという問題がある。
【０００４】
本発明は、以上の欠点を解消すべくなされたものであって、既設の流体制御器にでも簡単に装着することのできる流体制御器のロック装置の提供を目的とする。
【課題を解決するための手段】
【０００５】
本発明によれば上記目的は、
流体制御器１の本体部２内に形成された流体流路３を開閉する流路開閉弁の操作部４を拘束する流体制御器のロック装置であって、
前記本体部２に形成される貫通孔５に挿通される挿通体６を介して本体部２に周方向への移動が規制されて連結される取付基体７と、
取付基体７に回転自在に連結され、ロック回転位置において前記操作部４の移動を規制するロック体８とを有し、
前記ロック体８は、適宜の錠装置９によりロック回転位置に拘束可能な流体制御器のロック装置を提供することにより達成される。
【０００６】
流体制御器１は、開閉弁の操作部４を操作することによって流体の流れを制御することができ、本体部２に装着されたロック装置Ａは、ロック体８をロック回転位置に回転させることによって、例えば、流路閉塞位置に拘束するために使用することができる。流体制御器１の本体部２への取付基体７に回転自在に連結されるロック体８は、適宜の錠装置９によりロック回転位置に拘束することができ、この状態で開閉弁の操作部４への操作が完全に規制される。
【０００７】
錠装置９は、取付基体７、あるいはロック体８に一体に組み込まれたものであっても、南京錠等、別途用意されたものであってもよい。
【０００８】
流体制御器１への装着は、流体制御器１の本体部２に開設された貫通孔５に挿通体６を抜去不能に挿通させて行われる。例えば、ガス栓として使用される流体制御器１の本体部２には、通常、封印用の線材を挿通させるための孔が開設されており、本体部２の貫通孔５を利用して取付基体７を装着する本発明においては、この孔をそのまま利用して流体制御器１に装着することが可能となる。また、上述した孔５が予め穿孔されていない場合であっても、本体部２への小径貫通孔の穿孔作業は比較的容易なために、既設の流体制御器１であっても、簡単に装着することが可能になる。
【０００９】
挿通体６は、取付基体７を不用意に移動することのないように固定することができれば、ピン状体であっても紐状体であってもよく、さらに、取付基体７に一体に形成されたものであっても、取付基体７に対して分離自在な別体部品として形成されたものであってもよい。
【００１０】
取付基体７の本体部２からの脱落防止は、挿通体６に貫通孔５からの抜け止め処理を行う以外に、挿通体６がピン形状で、かつ、取付基体７に一体に形成される場合には、ロック体８をロック回転位置に回転させた際に、ロック体８が本体部２に干渉して取付基体７の挿通体６抜去方向への移動を規制するように構成することもできる。
【００１１】
また、挿通体６に抜け止め処理を行って取付基体７の脱落を防止する際には、挿通体６が取付基体７に一体に形成される場合には挿通体６の挿入先端に、別体に形成される場合には両端に、貫通孔５からの抜け止め処理が施される。この場合、ロック体８がロック回転位置まで回転した際にロック体８が抜け止め処理部を覆うように構成すると、ロック状態において抜け止め処理への不正アクセスが不能となるために、抜け止め処理箇所を簡易な構造とし、または省略しても、所定の施錠効果を期待でき、取付基体７の取り外し作業も容易となる。
【発明の効果】
【００１２】
本発明によれば、既設の流体制御器にでも簡単にロック装置を装着することができる。
【発明を実施するための最良の形態】
【００１３】
図１にガス栓（流体制御器１）用に構成された本発明の実施の形態を示す。まずガス栓１は、本体部２の内部に形成されるガス流路（流体流路３）を図外の開閉弁により開閉するように形成される。本体部２上面には、開閉弁に連結され、該開閉弁を操作するための操作部４が配置される。操作部４は、正背面側に飛び出す角柱状突出部４ａを備える。また、本体部２の正面には、上記操作部４を固定してガスの不正使用を防止するために使用される封印用の線材を挿通させるための封印用線材疎通孔（貫通孔５）が水平方向に設けられる。
【００１４】
図２に示すように、ロック装置Ａは、上記本体部２への取付基体７と、ロック体８とを有する。これら取付基体７とロック体８とは板材を折り曲げて形成され、取付基体７には、正面面板部７ａの上部両側端縁から奥行側に折り曲げられる一対の取付片１０、１０が形成される。これら取付片１０の取付片１０の一方には後述するネジ（挿通体６）の挿通孔１０ａが、他方にはネジ６の雌ネジとして構成される下孔１０ｂが開設される。
【００１５】
また、各取付片１０の下方にはヒンジ片１０ｃが取付片１０と同一方向に折曲形成されるとともに、正面面板部７ａの中央部には、正面側に突出する施錠片１０ｄが曲成される。図２（ｂ）に示すように、ヒンジ片１０ｃの外壁面間の間隔（Ｄ）は取付片１０の外壁面間の間隔（ｄ）よりやや大寸に形成され、後述するカバー片８ａ内壁との間にネジ６の頭部６ａの収容スペースが確保される。さらに、施錠片１０ｄには、側方に向けてシャックル挿通孔１０ｅが開設される。
【００１６】
一方ロック体８は、正面面板部８ｂの両側縁から折り曲げられるカバー片８ａを備える。カバー片８ａの内壁間の間隔は、上記取付片１０のヒンジ片１０ｃの外側壁面間の間隔（Ｄ）より大きく形成され、カバー片８ａ、８ａ間にヒンジ片１０ｃ、１０ｃを嵌合させることができる。また、ロック体８の正面面板部８ｂには、取付基体７側の施錠片１０ｄが嵌合可能な嵌合穴８ｃが開設される。
【００１７】
さらに、ロック体８にはロック片８ｄが設けられる。ロック片８ｄは、ガス栓１の開閉弁操作部４に形成される角柱状突出部４ａを挟み付けて回転操作を禁止することができるように、正面面板部の上端縁に２枚設けられる。
【００１８】
これら取付基体７とロック体８とは、カバー片８ａとヒンジ片１０ｃに設けられたヒンジ孔１１を貫通するヒンジピン１２を介して相互に回転自在に連結される。ヒンジピン１２には、止め輪、あるいはカシメ等による抜け止めがなされ、不正な連結解除が防止される。
【００１９】
以上のように構成されるロック装置Ａは、ネジ６を使用してガス栓１の本体部２に連結される。装着は、先ず、図１（ａ）に示すように、ガス栓１の封印用線材疎通孔５を一対の取付片１０で挟み込むように取付基部を配置し、次いで、６を取付片１０の挿通孔１０ａから封印用線材疎通孔５に挿通させ、さらに、対向側の取付片１０の下孔１０ｂにねじ込むだけで行うことができる（図１（ｂ）参照）。この状態で、ネジ６は、容易に取り外すことができるために、ロック装置Ａの撤去も簡単に行うことができる。
【００２０】
ガス栓１をロックするには、上述した取付状態から、図３（ａ）に示すように、ロック体８を垂直回転姿勢（ロック回転位置）まで回転させる。ロック回転姿勢において、取付基体７の施錠片１０ｄはロック体８の嵌合穴８ｃから外部に突出しており、施錠片１０ｄのシャックル挿通孔１０ｅに南京錠（錠装置９）のシャックル９ａを挿通させた後、施錠すると、ロック体８のロック回転位置からの退避操作が禁止される。
【００２１】
図４に示すように、ロック体８がロック回転位置にあるときには、２枚のロック片８ｄがガス栓１の操作部４の角柱状突出部４ａを挟み込み、かつ、ガス栓１に装着した状態で取付基体７は、本体部２に対して水平回転することはないので、操作部４を回転させて開閉弁を開放することができない。また、ロック体８がロック回転位置にあるときには、ネジ６の両端はロック体８のカバー片８ａにより覆われた状態となるために、ネジ６への不正な抜去操作も防止される。
【図面の簡単な説明】
【００２２】
【図１】本発明を示す図で、（ａ）はガス栓への取付方法を示す斜視図、（ｂ）はガス栓に取り付けた状態を示す斜視図である。
【図２】ロック装置を示す図で、（ａ）は正面側から見た斜視図、（ｂ）は背面側から見た斜視図である。
【図３】ガス栓のロック状態を示す斜視図で、（ａ）は施錠前を示す図、（ｂ）は施錠後を示す図である。
【図４】施錠状態を示す図で、（ａ）は平面図、（ｂ）は正面図、（ｃ）は側面図である。
【符号の説明】
【００２３】
１        流体制御器
２        本体部
３        流体流路
４        操作部
５        貫通孔
６        挿通体
７        取付基体
８        ロック体
９        錠装置
１０      取付片
Ａ      ロック装置
【図１】
2006226495.tif 000003
【図２】
2006226495.tif 000004
【図３】
2006226495.tif 000005
【図４】
2006226495.tif 000006